(57)【特許請求の範囲】
【請求項１】
生体試料前処理装置において、
生体試料、除タンパク質試薬、定量試薬の注入口であり、分注器が取り付けられる上流側開口部を有するとともに、生体試料が供給され、濾過するフィルター部材を有するフィルター器材と、
上記フィルター器材と連結し、上記フィルター部材により濾過された生体試料が供給される固相抽出剤を有する固相抽出器材と、
生体試料の目的成分を検出する検出器と、
上記固相抽出器材と上記検出器とを接続する配管と、
上記配管に配置され、上記固相抽出器材から供給される廃液の廃棄と溶出液の上記検出器への供給とを切り替えるバルブと、
を備えることを特徴とする生体試料前処理装置。
【請求項２】
請求項１に記載の生体試料前処理装置において、
上記フィルター器材は固相抽出器材に脱着できない状態で連結されていることを特徴とする生体試料前処理装置。
【請求項３】
請求項１に記載の生体試料前処理装置において、
上記フィルター器材は固相抽出器材と脱着可能に連結されていることを特徴とする生体試料前処理装置。
【請求項４】
請求項１に記載の生体試料前処理装置において、
上記固相抽出器材は上流側フリットを有し、上記フィルター器材のフィルター部材は、上記固相抽出器材の上流側フリットを兼用することを特徴とする生体試料前処理装置。
【請求項５】
請求項１に記載の生体試料前処理装置において、
上記固相抽出器材は上流側フリットを有し、上記フィルター器材のフィルター部材の面積が固相抽出器材の上流側フリット以上の面積を有することを特徴とする生体試料前処理装置。
【請求項６】
請求項５に記載の生体試料前処理装置において、
上記固相抽出器材の固相抽出剤の充填高が上流側フリットの直径以上であることを特徴とする生体試料前処理装置。
【請求項７】
請求項１に記載の生体試料前処理装置において、
固相抽出剤はコンディショニング済みのスラリーであることを特徴とする生体試料前処理装置。
【請求項８】
請求項７に記載の生体試料前処理装置において、
上記コンディショニング済みのスラリーに測定対象成分用の内部標準物質が添加されていることを特徴とする生体試料前処理装置。
【請求項９】
請求項８に記載の生体試料前処理装置において、
測定対象成分用の内部標準物質が添加されたコンディショニング済み固相抽出剤が固相抽出器材内に充填され、固相抽出剤が浸かっている溶媒が蒸発しないように固相抽出器材が密閉された構造となっていることを特徴とする生体試料前処理装置。
【発明の詳細な説明】
【技術分野】
【０００１】
本発明は、検体の溶血処理、除タンパク質処理、固相抽出処理を実施するための前処理を行う生体試料前処理方法及び装置に関する。
【背景技術】
【０００２】
例えば、多成分からなる血液試料からの目的成分抽出には、目的成分のサイズ、重量、形状のような物理的性質や、溶解性、親和性のような生化学的な性質を指標とした様々な技術が存在する。特に、血液のような生体試料中の微量成分の抽出に関しては、クロマトグラフィーによる分離技術が発達しており、目的成分に適した充填剤の開発やメソッドの至適化がなされている。このような高度な分離技術を用いる場合であっても、様々な細胞や異なった諸性質を示す多成分からなる血液から目的微量成分を効率良く抽出するためには、抽出可能な状態にするための試料調製や粗精製が必須となる。
【０００３】
血液中の微量成分を測定する臨床検査事例として、血中治療薬物モニタリング（Therapeutic Drug Monitoring, TDM）が挙げられる。ＴＤＭは、薬効を示す治療域が狭い薬剤等に適用され、投薬後の患者血液中の薬剤濃度を経時的に確認することにより、患者ごとに適正な投与設計を実践するために必要な検査である。
【０００４】
ＴＤＭの対象薬剤として、抗てんかん剤、抗菌剤、免疫抑制剤、抗不整脈剤、抗精神剤等が挙げられる。多くの薬剤は血清中に分布するが、例えば臓器移植患者等に投与される免疫抑制剤は脂溶性が高く、血球移行性があるため、その血中濃度を測定する場合には、溶血させて血球内容物を取り出した後にタンパク質等に吸着している薬剤を抽出する前処理が必要となる。
【０００５】
溶血手法としては、化学的、物理的、生物学的な原理を応用して実施することができる。
【０００６】
例えば、化学的な溶血手法としては、各種溶媒や界面活性剤により細胞膜を構成する脂質を溶解あるいは損傷させることにより溶血を引き起こすことが挙げられる。
【０００７】
また、物理学的な手法としては、圧力、遠心力、撹拌、凍結融解、低張化等が挙げられる。生物学的な手法としては、血球への抗体や補体結合に起因する膜貫通タンパク質複合体形成や病原性細菌が産生する溶血素（ヘモリジン）による血球細胞膜への孔形成等が挙げられる。
【０００８】
一方、血液中のタンパク質に吸着している目的成分を回収する手法として除タンパク質処理あるいは液／液抽出が挙げられる。溶血処理したサンプルに有機溶媒を添加することにより、目的成分を有機溶媒側に抽出するとともに、タンパク質を変性させ、一般的には遠心分離することによって凝集タンパク質と上清を分離した後、上清画分を回収している。除タンパク質処理は、血中に多種多様かつ大量に含まれているタンパク質を凝集させることによって除去する工程であり、このような処理を施すことによってはじめて全血由来の試料を血清あるいは血漿検体と同等に扱える状態になる。
【０００９】
有機溶媒は前述のように溶血効果もあるため、直接血液に添加して溶血、液／液抽出、除タンパク質を行う手法もある。また、そのときに除タンパク質効果を補足するため、前述の硫酸亜鉛を添加する手法もある。
【００１０】
全血検体に前記のような処理を施すことによって、血球移行性の薬剤を溶液状態で回収することができるため、例えば、固相抽出処理や液体クロマトグラフィー分離等のような精製操作に供試することが可能となる。一般的には、液／液抽出後の回収上清はドライアップした後、適切な容量の溶解液で再溶解することにより、液量の低減と目的成分の濃縮を行う。その後、例えば、再溶解物を液体クロマトグラフィー質量分析計（Liquid Chromatograph Mass Spectrometer, LCMS）等に供試することにより、濃縮後の目的成分の分離精製と検出を行い、目的成分の同定や定量解析を実施する。
【００１１】
固相抽出の公知技術としては、特許文献１に記載された技術がある。この特許文献１に記載の技術は、例えばシリンジ状の容器に固相抽出剤を充填し、その充填剤を保持するために充填剤の上流と下流をフィルター（フリット）で挟んだ構造の固相抽出カラムである。
【先行技術文献】
【特許文献】
【００１２】
【特許文献１】特許第４０６２６３７号公報
【発明の概要】
【発明が解決しようとする課題】
【００１３】
血液等の生体試料に含まれる目的成分は微量であるため、前処理においては、極力その消費を避ける必要がある。しかしながら、従来の技術においては、生体試料について、反応産物の濾過処理後の試料を一時回収して容器等に収容し、別個の容器等を用いて固相抽出処理を行っていた。
【００１４】
このため、上記一次回収の際に、試料のロス発生や、他の試料等とのコンタミネーションが発生する可能性があった。
【００１５】
また、一次回収用の容器やチップ等が必要であり、そのためのコストや洗浄等が必要であった。
【００１６】
さらに、試料の反応は上述したように複雑な処理が必要であり、手間や時間を要していた。
【００１７】
本発明の目的は、反応処理後の濾過液を一次回収することなく、固相抽出処理に供給することが可能な生体試料前処理方法及び装置を実現することである。
【課題を解決するための手段】
【００１８】
上記目的を達成するため、本発明は次のように構成される。
【００１９】
本発明の生体試料前処理方法及び装置は、フィルター器材に収容されたフィルター部材に生体試料と除タンパク質試薬を供給し、上記フィルター部材の濾過液を、固相抽出剤を収容する固相抽出器材の上記固相抽出剤に供給し、上記固相抽出剤に含まれた上記濾過液から、生体試料の固相を抽出する。
【発明の効果】
【００２０】
反応処理後の濾過液を一次回収することなく、固相抽出処理に供給することが可能な試料処理方法及び装置を実現することができる。
【図面の簡単な説明】
【００２１】
【図１】本発明の実施例１における試料前処理方法の前処理フローを説明する図である。
【図２】免疫抑制剤のメタノール溶解性を示すグラフである。
【図３】本発明の実施例２である懸濁方式の試料前処理装置の説明図である。
【図４】本発明の実施例３であるシリンジ方式の試料前処理装置を示す図である。
【図５】本発明の実施例３である試料前処理器材を用いて試料調製する場合の操作法についての説明図である。
【図６】本発明の実施例４である試料前処理装置の説明図である。
【図７】本発明の実施例４である試料前処理器材を用いて試料調製する場合の操作法についての説明図である。
【図８】本発明の実施例５である試料前処理装置の説明図である。
【図９】本発明の実施例６である試料前処理装置の説明図である。
【図１０】本発明の実施例７である試料前処理装置の説明図である。
【図１１】本発明の実施例７の変形例の説明図である。
【図１２】本発明の実施例７である試料前処理装置の動作説明図である。
【図１３】本発明の実施例８であるプレート方式の試料前処理装置の説明図である。
【図１４】本発明の実施例９である試料前処理装置の説明図である。
【発明を実施するための形態】
【００２２】
本発明の実施例を、添付図面を参照称して説明する。
【実施例１】
【００２３】
図１は、本発明の実施例１における試料前処理方法の前処理フローを説明する図である。図１の前処理フロー１０３は、本発明の実施例１における前処理フローであり、全血処理と固相抽出処理とを一括して処理する。
【００２４】
図１は、本発明の前処理と比較するため、個別に全血処理（処理フロー１０１）と固相抽出処理（処理フロー１０２）とを行うフローを示している。
【００２５】
（サンプル調製工程および免疫抑制剤の溶解性）
処理フロー１０１においては、全血検体をフィルター器材に分注し、さらに溶血処理液（硫酸亜鉛水溶液等）を分注した後に攪拌する。その後、徐タンパク質液（メタノール等）を分注して、攪拌した後、濾過（あるいは遠心分離）する。
【００２６】
この場合、例えば、免疫抑制剤のように、疎水性が高く、血球移行性がある薬剤の場合、患者検体からの目的成分の抽出のためには、最初に溶血させる必要がある。溶血は、例えば、全血試料に対してＨ２Ｏを添加することで低張化し、血球をバーストさせることで行われる。
【００２７】
また、全血中の夾雑成分であるタンパク質を除去するため、有機溶媒によりタンパク質変性を引き起こし、凝集させ、遠心分離あるいは濾過により上清を回収する。この除タンパク質処理は、検体が全血以外（例えば、血清、血漿、尿、体液等）であっても、クリーンアップ効果が期待できる。
【００２８】
次に、処理フロー１０２において、固相抽出剤に有機溶媒を添加し、圧力を付加し、水を添加し、圧力を付加することにより、固相抽出剤をコンディショニングし、その固相抽出剤に前述の一時回収した濾液（上清）を添加し、内部標準物質を添加した後に攪拌する。そして、圧力付加→洗浄液添加→圧力付加→溶出液（メタノール等）添加→圧力付加を行い、目的成分を吸着させ、洗浄により非特異的に吸着した成分を除去した後、目的成分を溶出回収することで試料調製が完了する。
【００２９】
本発明の実施例１では、溶血および除タンパク質処理後の濾液を、一時回収なしに、直接固相抽出剤に供試することにより、固相抽出剤への目的成分の吸着処理を行うことを特徴とする（処理フロー１０３）。
【００３０】
本発明の実施例１の試料前処理方法に使用される前処理装置はフィルター器材と固相抽出器であるカラムとが一体となっている。このため、まず、前処理装置（固相抽出カートリッジ）は、処理フロー１０２におけるコンディショニングと同様なコンディショニングが行われ、その後、処理フロー１０１と同様な全血検体分注から濾過（ただし、圧力付加による濾過）が行われ、濾液の一時回収を行うことなく、処理フロー１０２と同様な内部標準物質添加から溶出液添加、圧力付加が行われ、固相が抽出される。
【００３１】
この場合、濾液の組成が目的成分の固相抽出剤への吸着条件に適合していることが必要となる。
【００３２】
このことを詳細に説明するために、一例として、免疫抑制剤のメタノール溶解性について説明する。
【００３３】
例えば、タクロリムス、シロリムス（ラパマイシン）、エベロリムス、シクロスポリンのような免疫抑制剤は疎水性が高く、水系の溶液には溶解し難い性質を有する。これら薬剤のメタノールに対する溶解性を検討したところ、５０％以上のメタノール存在下でなければ安定して溶解しない傾向が認められた。
【００３４】
事例として、図２にエベロリムス（２０１）およびシクロスポリン（２０２）のデータを示す。このことは、これら薬剤を抽出対象とする場合は、除タンパク質処理時および固相抽出剤への試料供試時の有機溶媒の終濃度に注意する必要があり、少なくともメタノールを用いる場合は５０％以上であることが望ましいことを示している。
【００３５】
このような免疫抑制剤のように疎水性の高い薬剤の場合、除タンパク質時のメタノール終濃度を５０％に設定することにより、タンパク質変性による凝集物形成だけでなく、溶血処理により血球外に取り出された免疫抑制剤を上清側に溶解できるとともに、そのまま固相抽出剤へ吸着処理することも可能となる。このことにより、除タンパク質処理で得られる濾液を直接固相抽出剤に供試することが可能となる。
【００３６】
一方、親水性の高い薬剤の場合は、除タンパク質時のメタノール終濃度が５０％になると、その濾液を直接固相抽出剤に供試しても目的成分を吸着させることができない。その場合は、タンパク質変性後の凝集物懸濁液にＨ２Ｏ等を必要量添加し、メタノール濃度を低下させてから濾過処理を行い、その濾液を直接固相抽出剤に供試することにより、目的成分を固相抽出剤に吸着させることも可能である。
【００３７】
後述する各実施例について、前述した除タンパク質時の濾液の一時回収なしに直接固相抽出剤に供試することで目的成分を吸着させる手法は、いずれの器材構成であっても適用可能である。
【００３８】
評価用の試料として患者全血検体がない場合、擬似的な患者全血検体を調製して用いることが可能である。擬似患者全血検体は、健常人から採血した全血検体に対して、例えば５０％メタノールで溶解した免疫抑制剤標品を終濃度が各免疫抑制剤の治療域濃度程度になるように添加することで調製できる。さらに、調製した擬似患者全血検体を３７°Ｃで緩やかに転倒混和しながら３０ｍｉｎインキュベートすることにより、各免疫抑制剤の血球移行を再現することも可能である。
【００３９】
以上のように、本発明の実施例１によれば、反応処理後の濾過液を一次回収することなく全血処理と固相抽出処理を一括して行うように構成したので、一次回収の際に発生する、生体試料のロスや、他の生体試料等とのコンタミネーションを抑制することができる。
【００４０】
また、一次回収用の容器やチップ等が不要であり、そのためのコストや洗浄等を省略することができる。
【実施例２】
【００４１】
次に、本発明の実施例２である生体試料前処理装置について説明する。この実施例２は、懸濁方式の器材構成となっている。
【００４２】
図３は、本発明の実施例２である懸濁方式の試料前処理装置の説明図である。
【００４３】
図３の（Ｃ）に示すように、試料前処理器材３０１は、フィルター器材３０２を固相抽出器材３０３に挿入することで一体化することを特徴とする。
【００４４】
本試料前処理器材３０１は、上流側にフィルター器材３０２、下流側に固相抽出器材３０３が配置され、フィルター器材３０２からの濾液を一時回収することなしに直接固相抽出器材３０３に供試することを特徴とする。
【００４５】
フィルター器材３０２は、フィルターリザーバー３０４とフィルター部３０５で構成される。また、固相抽出器材３０３は、カップ状であり、固相抽出剤３０８を添加して使用する。
【００４６】
フィルター器材３０２におけるフィルターリザーバー３０４の素材は問わず、一般的に生体試料の前処理等で使用される樹脂や金属等を用いて構わない。ただし、添加する試薬分の容量を満たすために、少なくとも供試するサンプル量の８倍以上の許容量を有することが望ましい。
【００４７】
これは、例えば、免疫抑制剤抽出のためにサンプルとして全血５０μｌを用いた場合、溶血処理に用いる硫酸亜鉛溶液の容量は１５０μｌ、除タンパク質処理に用いるメタノールの容量は２００μｌであるため、そのときの反応溶液の全量は４００μｌとなり、サンプル量の８倍量に相当することに起因する。
【００４８】
また、フィルター器材３０２におけるフィルター部３０５の素材は濾過機能を有するものであれば問わず、一般的に生体試料の前処理等で使用されるものを適用して構わない。フィルター器材３０２内における反応で生成される凝集物量は検体の種類、由来、量等に大きく依存するが、フィルター部３０５の目詰まりを避けるために、フィルター部上流側底面積３１１は大きいことが望ましい。また、フィルター部３０５のポアサイズは生体試料中の夾雑微細成分を捕捉するために、φ２．０μｍ以下であることが望ましい。
【００４９】
固相抽出器材３０３の素材は問わず、一般的に生体試料の前処理等で使用される樹脂や金属等を用いて構わない。ただし、添加する試薬分の容量を満たすために、少なくとも供試する除タンパク質処理済みサンプル量と同等以上の許容量を有することが望ましい。
【００５０】
また、固相抽出器材３０３に充填する固相抽出剤３０８は対象成分の抽出に適した性能を有するものを適用する。例えば、シリカゲルやポリマー、樹脂製のビーズ等を適用することができる。
【００５１】
同試料前処理器材３０１を用いて試料調製する場合の操作法について以下に示す。
【００５２】
固相抽出剤３０８に対するコンディショニング、目的成分の吸着、夾雑成分の除去、目的成分の溶出回収に用いる各試薬は、固相抽出剤３０８の特性にしたがって適切なものを選択する。便宜的に、本実施例では逆相モードの固相抽出剤３０８を使用したときの事例で示す。
【００５３】
図３の（Ａ）、（Ｂ）において、カップ状の固相抽出器材３０３に固相抽出剤３０８を必要量添加し、最初にそのコンディショニングを行う。まず、固相抽出剤３０８の官能基を活性化させるため、例えばメタノール等の有機溶媒を添加し、十分に撹拌後、遠心分離して上清を廃棄する（図３の（Ａ））。
【００５４】
次に、固相抽出剤３０８を平衡化するため、例えばバッファー等の水系溶液を添加し、十分に撹拌後、遠心分離して上清を廃棄する（図３の（Ｂ））。
【００５５】
以上により、固相抽出剤３０８のコンディショニングが完了する。
【００５６】
次に、図３の（Ｃ）に示すように、固相抽出器材３０３の開口部にフィルター器材３０２を装着し、フィルターリザーバー３０４内に試料を添加する。その際、例えば、抽出成分を質量分析等で測定する場合には、内部標準物質も添加し、十分に撹拌する。
【００５７】
次に、図３の（Ｄ）に示すように、試料が全血で血球内成分を取り出す必要がある場合は、必要量の溶血溶液を添加し、十分に撹拌することにより、血球を破壊する。
【００５８】
次に、図３の（Ｅ）に示すように、必要量のタンパク質変性溶液を添加し、十分に撹拌する。これにより、試料中のタンパク質が変性し、凝集物を形成する。
【００５９】
次に、図３の（Ｆ）に示すように、試料前処理器材３０３を遠心分離にかけることにより、凝集物をフィルター器材３０２側に残し、濾液の回収なしに、ガラスフィルター、樹脂製フィルター等のフィルター部３０５経由でそのまま濾液を固相抽出剤に供試する。この操作により、固相抽出剤３０８に目的成分が吸着する。
【００６０】
次に、フィルター器材３０２を廃棄し、固相抽出器材３０３内の固相抽出剤３０８を十分に撹拌し、遠心分離後、上清を廃棄する。この操作により、固相抽出剤３０８に吸着しなかった夾雑成分が除去される。
【００６１】
次に、図３の（Ｇ）に示すように、固相抽出器材３０３内に必要量の洗浄液を添加し、十分に撹拌後遠心分離し、上清を廃棄する。この操作により、固相抽出剤３０８に非特異的に吸着した夾雑成分が除去される。
【００６２】
次に、図３の（Ｈ）に示すように、固相抽出器材３０３内に必要量の溶出液を添加し、十分に撹拌後遠心分離し、上清を廃棄する。この操作により、固相抽出剤３０８に特異的に吸着した目的成分を溶出回収する。
【００６３】
例えば、固相抽出剤３０８が磁性体である場合、前述のような遠心分離ではなく、固相抽出器材３０３表面にマグネット等を近付けることにより、固相抽出剤３０８と上清を分離しても構わない。
【００６４】
以上のように、本発明の実施例２によれば、反応処理後の濾過液を一次回収することなく全血処理と固相抽出処理を一括して行うように構成したので、簡単な構成で反応処理を行うことができると共に、一次回収の際に発生する、試料のロスや、他の試料等とのコンタミネーションを抑制することができる。
【００６５】
また、一次回収用の容器やチップ等が不要であり、そのためのコストや洗浄等を省略することができる。
【実施例３】
【００６６】
次に本発明の実施例３である試料前処理装置について説明する。この実施例２は、シリンジ方式（脱着不可）の器材構成となっている。
【００６７】
図４は、本発明の実施例３であるシリンジ方式（脱着不可）の試料前処理装置（試料前処理器材）４０１の構造を示す図である。
【００６８】
図４において、試料前処理器材４０１は、フィルター器材４０２と固相抽出器材４０３が、互いに切り離せないように脱着不可の構造となっている。
【００６９】
試料前処理器材４０１は、上流側にフィルター器材４０２、下流側に固相抽出器材４０３が配置され、フィルター器材４０２からの濾液を一時回収することなしに直接固相抽出器材４０３に供試する。
【００７０】
フィルター器材４０２は、フィルターリザーバー４０４とフィルター部４０５で構成される。また、固相抽出器材４０３は、固相抽出リザーバー４０６、固相抽出剤４０８および固相抽出剤４０８を固相抽出器材４０３内に保持する上流側フリット４０７と下流側フリット４０９で構成される。
【００７１】
フィルター器材４０２におけるフィルターリザーバー４０４の素材は問わず、一般的に生体試料の前処理等で使用される樹脂や金属等を用いて構わない。ただし、添加する試薬分の容量を満たすために、少なくとも供試するサンプル量の８倍以上の許容量を有することが望ましい。
【００７２】
これは、例えば、免疫抑制剤抽出のためにサンプルとして全血５０μｌを用いた場合、溶血処理に用いる硫酸亜鉛溶液の容量は１５０μｌ、除タンパク質処理に用いるメタノールの容量は２００μｌであるため、そのときの反応溶液の全量は４００μｌとなり、サンプル量の８倍量に相当することに起因する。
【００７３】
また、フィルター器材４０２におけるフィルター部４０５の素材は濾過機能を有するものであれば問わず、一般的に生体試料の前処理等で使用されるものを適用して構わない。フィルター器材４０２内における反応で生成される凝集物量は検体の種類、由来、量等に大きく依存するが、フィルター部４０５の目詰まりを避けるために、固相抽出器材４０３における上流側フリット底面積４１３よりもフィルター部上流側底面積４１１は大きいことが望ましい。
【００７４】
また、フィルター部４０５のポアサイズは生体試料中の夾雑微細成分を捕捉するために、φ２．０μｍ以下であることが望ましい。
【００７５】
固相抽出器材４０３における固相抽出リザーバー４０６の素材は問わず、一般的に生体試料の前処理等で使用される樹脂や金属等を用いて構わない。ただし、添加する試薬分の容量を満たすために、少なくとも供試する除タンパク質処理済みサンプル量と同等以上の許容量を有することが望ましい。
【００７６】
また、固相抽出器材４０３における固相抽出剤４０８の充填部の構造は、充填する固相抽出剤４０８の性能や仕様に大きく依存するが、微容量試料中の微量成分の抽出効率を保つために、上流側フリット底面４１３の直径と同等以上の充填高４１４であることが望ましい。ただし、上流側フリット底面積４１３と下流側フリット底面積４１５の大きさは必ずしも同一である必要はなく、固相抽出剤４０８の充填形状は、例えば細管状（円柱状）であっても、円錐状であっても構わない。また、充填する固相抽出剤４０８は対象成分の抽出に適した性能を有するものを適用する。
【００７７】
図５は、試料前処理器材４０１を用いて試料調製する場合の操作法についての説明図である。
【００７８】
固相抽出剤５０８に対するコンディショニング、目的成分の吸着、夾雑成分の除去、目的成分の溶出回収に用いる各試薬は、固相抽出剤５０８の特性にしたがって適切なものを選択する。便宜的に、本実施例３では逆相モードの固相抽出剤５０８を使用したときの事例で示す。
【００７９】
図５の（Ａ）において、まず、フィルター器材５０２に例えばメタノール等の有機溶媒を添加し、圧力印加し、試料前処理器材５０１の上端開口部への加圧あるいは下端開口部からの吸引により、フィルター部５０５経由で固相抽出剤５０８に通液させ、固相抽出器材５０３の下端から排出される液を廃棄する。この操作により、固相抽出剤５０８の官能基を活性化させる。
【００８０】
次に、図５の（Ｂ）において、フィルター器材５０２に例えばバッファー等の水系溶液を添加し、圧力印加して試料前処理器材５０１の上端開口部への加圧あるいは下端開口部からの吸引により、フィルター部５０５経由で固相抽出剤５０８に通液させ、固相抽出器材５０３の下端から排出される液を廃棄する。この操作により、活性化させた固相抽出剤５０８を平衡化させることで、固相抽出剤５０８のコンディショニングが完了する。
【００８１】
次に、図５の（Ｃ）に示すように、フィルター器材５０２に試料を添加する。その際、例えば、抽出成分を質量分析等で測定する場合には、内部標準物質も添加し、十分に撹拌する。
【００８２】
次に、図５の（Ｄ）に示すように、試料が全血で血球内成分を取り出す必要がある場合は、必要量の溶血溶液を添加し、十分に撹拌する。この操作により、血球を破壊する。
【００８３】
次に、図５の（Ｅ）に示すように、フィルター器材５０２に必要量のタンパク質変性溶液を添加し、十分に撹拌する。この操作により、試料中のタンパク質が変性し、凝集物が形成される。
【００８４】
次に、図５の（Ｆ）に示すように、試料前処理器材５０１へ圧力印加し、試料前処理器材５０１の上端開口部への加圧あるいは下端開口部からの吸引により、凝集物をフィルター器材５０２側に残し、濾液の回収なしに、フィルター部５０５経由でそのまま濾液を固相抽出剤５０８に供試する。固相抽出器材５０３の下端から排出される液は廃棄する。この操作により、固相抽出剤５０８に目的成分が吸着するとともに、固相抽出剤５０８に吸着しなかった夾雑成分が除去される。
【００８５】
次に、図５の（Ｇ）に示すように、フィルター器材５０２内に必要量の洗浄液を添加し、試料前処理器材５０１へ圧力印加し、試料前処理器材５０１の上端開口部への加圧あるいは下端開口部からの吸引により、フィルター部５０５経由で固相抽出剤５０８に通液させ、固相抽出器材５０３の下端から排出される液を廃棄する。この操作により、固相抽出剤５０８に非特異的に吸着した夾雑成分が除去される。
【００８６】
次に、図５の（Ｈ）に示すように、フィルター器材５０２内に必要量の溶出液を添加し、試料前処理器材５０１への圧力印加＜試料前処理器材５０１の上端開口部への加圧あるいは下端開口部からの吸引により、フィルター部５０５経由で固相抽出剤５０８に通液させ、固相抽出器材５０３の下端から排出される液を回収する。この操作により、固相抽出剤５０８に特異的に吸着した目的成分を溶出回収する。
【００８７】
本発明の実施例３においても、実施例２と同様な効果を得ることができる。
【実施例４】
【００８８】
次に、本発明の実施例４である試料前処理装置について説明する。この実施例４は、シリンジ方式（脱着可）の器材構成となっている。
【００８９】
図６は、本発明の実施例４である試料前処理装置（器材）６０１の説明図である。図６の（Ａ）は、概略構成を示し、図６の（Ｂ）は、試料前処理器材６０１の概略断面を示している。
【００９０】
フィルター器材６０２と固相抽出器材６０３が、ルアーロック方式等の連結機構６１６により脱着可能な構造を有しながら連結された試料前処理器材６０１の構造について説明する。
【００９１】
図６において、本発明の試料前処理器材６０１は上流側にフィルター器材６０２、下流側に固相抽出器材６０３が配置され、フィルター器材６０２からの濾液を一時回収することなしに直接固相抽出器材６０３に供試する。
【００９２】
フィルター器材６０２は、フィルターリザーバー６０４とフィルター部６０５とを備える。また、固相抽出器材６０３は、固相抽出リザーバー６０６、固相抽出剤６０８および固相抽出剤６０８を固相抽出器材６０３内に保持する上流側フリット６０７と下流側フリット６０９とを備える。
【００９３】
フィルター器材６０２におけるフィルターリザーバー６０４の素材は問わず、一般的に生体試料の前処理等で使用される樹脂や金属等を用いて構わない。ただし、添加する試薬分の容量を満たすために、少なくとも供試するサンプル量の８倍以上の許容量を有することが望ましい。
【００９４】
これは、例えば、免疫抑制剤抽出のためにサンプルとして全血５０μｌを用いた場合、溶血処理に用いる硫酸亜鉛溶液の容量は１５０μｌ、除タンパク質処理に用いるメタノールの容量は２００μｌであるため、そのときの反応溶液の全量は４００μｌとなり、サンプル量の８倍量に相当することに起因する。
【００９５】
また、フィルター器材６０２におけるフィルター部６０５の素材は濾過機能を有するものであれば問わず、一般的に生体試料の前処理等で使用されるものを適用して構わない。フィルター器材６０２内における反応で生成される凝集物量は検体の種類、由来、量等に大きく依存するが、フィルター部６０５の目詰まりを避けるために、固相抽出器材６０３における上流側フリット底面積６１３よりもフィルター部上流側底面積６１１は大きいことが望ましい。また、フィルター部６０５のポアサイズは生体試料中の夾雑微細成分を捕捉するために、φ２．０μｍ以下であることが望ましい。
【００９６】
固相抽出器材６０３における固相抽出リザーバー６０６の素材は問わず、一般的に生体試料の前処理等で使用される樹脂や金属等を用いて構わない。ただし、添加する試薬分の容量を満たすために、少なくとも供試する除タンパク質処理済みサンプル量と同等以上の許容量を有することが望ましい。
【００９７】
また、固相抽出器材６０３における固相抽出剤６０８の充填部の構造は、充填する固相抽出剤６０８の性能や仕様に大きく依存するが、微容量試料中の微量成分の抽出効率を保つために、上流側フリット底面６１３の直径と同等以上の充填高６１４であることが望ましい。ただし、上流側フリット底面積６１３と下流側フリット底面積６１５の大きさは必ずしも同一である必要はなく、固相抽出剤６０８の充填形状は、例えば細管状（円柱状）であっても、円錐状であっても構わない。また、充填する固相抽出剤６０８は対象成分の抽出に適した性能を有するものを適用する。
【００９８】
フィルター器材６０２の下端領域と、固相抽出器材６０３の上端領域には、両器材どうしの脱着のために、例えば、ルアーロック等のネジ状の構造６１６を有する。または、固相抽出リザーバー６０６上部にフィルター器材６０２が挿入、あるいはフィルター器材６０２下部に固相抽出器材６０３が挿入可能な構造により連結する構造とすることも可能である。
【００９９】
試料前処理器材６０１を用いて試料調製する場合の操作法について、図７を参照して説明する。
【０１００】
固相抽出剤７０８に対するコンディショニング、目的成分の吸着、夾雑成分の除去、目的成分の溶出回収に用いる各試薬は、固相抽出剤７０８の特性にしたがって適切なものを選択する。便宜的に、本実施例では逆相モードの固相抽出剤７０８を使用したときの事例で示す。
【０１０１】
図７の（Ａ）に示すように、まず、フィルター器材７０２に例えばメタノール等の有機溶媒を添加し、圧力印加により試料前処理器材７０１の上端開口部への加圧あるいは下端開口部からの吸引により、フィルター部７０５経由で固相抽出剤７０８に通液させ、固相抽出器材７０３の下端から排出される液を廃棄する。この操作により、固相抽出剤７０８の官能基を活性化させる。
【０１０２】
次に、図７の（Ｂ）に示すように、フィルター器材７０２に例えばバッファー等の水系溶液を添加し、圧力印加により試料前処理器材７０１の上端開口部への加圧あるいは下端開口部からの吸引により、フィルター部７０５経由で固相抽出剤７０８に通液させ、固相抽出器材７０３の下端から排出される液を廃棄する。この操作により、活性化させた固相抽出剤７０８を平衡化させることで、固相抽出剤７０８のコンディショニングが完了する。
【０１０３】
次に、図７の（Ｃ）に示すように、フィルター器材７０２に試料を添加する。その際、例えば、抽出成分を質量分析等で測定する場合には、内部標準物質も添加し、十分に撹拌する。
【０１０４】
次に、図７の（Ｄ）に示すように、試料が全血で血球内成分を取り出す必要がある場合は、必要量の溶血溶液を添加し、十分に撹拌する。この操作により、血球を破壊する。
【０１０５】
次に、図７の（Ｅ）に示すように、フィルター器材７０２に必要量のタンパク質変性溶液を添加し、十分に撹拌する。この操作により、試料中のタンパク質が変性し、凝集物が形成される。  
次に、図７の（Ｆ）に示すように、試料前処理器材７０１への圧力印加により試料前処理器材７０１の上端開口部への加圧あるいは下端開口部からの吸引により、凝集物をフィルター器材７０２側に残し、濾液の回収なしに、フィルター部７０５経由でそのまま濾液を固相抽出剤７０８に供試する。固相抽出器材７０３の下端から排出される液は廃棄する。この操作により、固相抽出剤７０８に目的成分が吸着するとともに、固相抽出剤７０８に吸着しなかった夾雑成分が除去される。
【０１０６】
次に、固相抽出器材（７０３）からフィルター器材（７０２）を取り外し、フィルター器材（７０２）を廃棄する。
【０１０７】
次に、図７の（Ｇ）に示すように、固相抽出器材７０３内に必要量の洗浄液を添加し、試料前処理器材７０１への圧力印加により試料前処理器材７０１の上端開口部への加圧あるいは下端開口部からの吸引により、固相抽出剤７０８に通液させ、固相抽出器材７０３の下端から排出される液を廃棄する。この操作により、固相抽出剤７０８に非特異的に吸着した夾雑成分が除去される。
【０１０８】
次に、図７の（Ｈ）に示すように、固相抽出器材７０３内に必要量の溶出液を添加し、試料前処理器材７０１への圧力印加により試料前処理器材７０１の上端開口部への加圧あるいは下端開口部からの吸引により、固相抽出剤７０８に通液させ、固相抽出器材７０３の下端から排出される液を回収する。この操作により、固相抽出剤７０８に特異的に吸着した目的成分を溶出回収する。
【０１０９】
本発明の実施例４においても、実施例２と同様な効果を得ることができる。
【実施例５】
【０１１０】
次に、本発明の実施例５である試料前処理装置について説明する。この実施例４は、シリンジ方式（フリット兼用）の器材構成となっている。
【０１１１】
図８は、本発明の実施例５である試料前処理装置（器材）８０１の説明図である。
【０１１２】
フィルター器材８０２と固相抽出器材８０３が連結され、フィルター部８０５が固相抽出剤８０８を保持する上流側フリットを兼用する構造を有する試料前処理器材８０１について説明する。本発明の実施例５の場合、フィルター器材８０２と固相抽出器材８０３は互いに切り離せないように接合された構造を取るため、両器材を脱着する機能は有さない。
【０１１３】
図８において、試料前処理器材８０１には、上流側にフィルター器材８０２、下流側に固相抽出器材８０３が配置され、フィルター器材８０２からの濾液を一時回収することなしに直接固相抽出器材８０３に供試することができる。
【０１１４】
詳細には、フィルター器材８０２は、フィルターリザーバー８０４とフィルター部８０５を備える。また、固相抽出器材８０３は、固相抽出リザーバーを有さず、固相抽出剤８０８および固相抽出剤８０８を固相抽出器材８０３内に保持する下流側フリット８０９で構成され、上流側フリットは前述の通りフィルター部８０５が代用する構造となる。
【０１１５】
フィルター器材８０２におけるフィルターリザーバー８０４の素材は問わず、一般的に生体試料の前処理等で使用される樹脂や金属等を用いて構わない。ただし、添加する試薬分の容量を満たすために、少なくとも供試するサンプル量の８倍以上の許容量を有することが望ましい。
【０１１６】
これは、例えば、免疫抑制剤抽出のためにサンプルとして全血５０μｌを用いた場合、溶血処理に用いる硫酸亜鉛溶液の容量は１５０μｌ、除タンパク質処理に用いるメタノールの容量は２００μｌであるため、そのときの反応溶液の全量は４００μｌとなり、サンプル量の８倍量に相当することに起因する。
【０１１７】
また、フィルター器材８０２におけるフィルター部８０５の素材は濾過機能を有するものであれば問わず、一般的に生体試料の前処理等で使用されるものを適用して構わない。フィルター器材８０２内における反応で生成される凝集物量は検体の種類、由来、量等に大きく依存するが、フィルター部８０５の目詰まりを避けるために、固相抽出器材８０３に充填された固相抽出剤８０８の上流側底面８１３よりもフィルター部上流側底面積８１１は大きいことが望ましい。したがって、フィルター部８０５のフィルター部上流側底面８１１とフィルター部下流側底面８１２の大きさは異なるとともに、フィルター部下流側底面８１２が固相抽出剤８０８の上流側底面８１３を覆うことが望ましい。また、フィルター部８０５のポアサイズは生体試料中の夾雑微細成分を捕捉するために、φ２．０μｍ以下であることが望ましい。
【０１１８】
また、固相抽出器材８０３の素材は問わず、一般的に生体試料の前処理等で使用される樹脂や金属等を用いて構わない。
【０１１９】
また、固相抽出器材８０３における固相抽出剤８０８充填部の構造は、充填する固相抽出剤８０８の性能や仕様に大きく依存するが、微容量試料中の微量成分の抽出効率を保つために、固相抽出剤８０８の上流側底面８１３の直径と同等以上の充填高８１４であることが望ましい。ただし、固相抽出剤８０８の上流側底面積８１３と下流側フリット底面積８１５の大きさは必ずしも同一である必要はなく、固相抽出剤８０８の充填形状は、例えば細管状（円柱状）であっても、円錐状であっても構わない。また、充填する固相抽出剤８０８は対象成分の抽出に適した性能を有するものを適用する。
【０１２０】
同試料前処理器材８０１を用いて試料調製する場合の操作法については、実施例３と同様である。
【０１２１】
本発明の実施例５においても、実施例２と同様な効果を得ることができる。
【実施例６】
【０１２２】
次に、本発明の実施例６である試料前処理装置について説明する。この実施例６は、シリンジ方式（プレパック）の器材構成となっている。
【０１２３】
図９は、本発明の実施例６である試料前処理装置（器材）９０１の説明図である。
【０１２４】
フィルター器材９０２と固相抽出器材９０３とが連結された試料前処理器材９０１であり、固相抽出剤９０８が予めコンディショニング済みの状態である。また、試料前処理器材９０１に充填されたコンディショニング済みの固相抽出剤９０８に、目的成分測定のための内部標準物質が添加された、目的成分測定専用の試料前処理器材９０１である。
【０１２５】
試料前処理器材９０１の構造および特徴は、前述の実施例１〜３に示したものと同等であるが、固相抽出剤９０８がコンディショニング済みであるため、その固相抽出剤９０８の周囲は平衡化に用いる溶液で満たされているとともに、試料前処理器材９０１の上端と下端の開口部はキャップ９１１、９１２により密栓されている。
【０１２６】
また、目的成分測定専用の試料前処理器材９０１の場合は、試料前処理器材９０１に充填するコンディショニング済み固相抽出剤９０８のスラリーに、目的成分測定のための内部標準物質を必要量添加し、十分に懸濁後、試料前処理器材９０１に充填し、その周囲を平衡化用の溶液で満たしているとともに、試料前処理器材９０１の上端と下端の開口部はキャップ９１１、９１２により密栓されている。
【０１２７】
あるいは、試料前処理器材９０１に充填したコンディショニング済み固相抽出剤９０８、あるいは充填後にその周囲を満たしている平衡化用の溶液に対して、目的成分測定のための内部標準物質を必要量添加している構成としても構わない。そして、試料前処理器材９０１の上端と下端の開口部はキャップ９１１、９１２により密栓されている。
【０１２８】
同試料前処理器材９０１を用いて試料調製する場合の操作法について以下に示す。
【０１２９】
固相抽出剤９０８に対するコンディショニング、目的成分の吸着、夾雑成分の除去、目的成分の溶出回収に用いる各試薬は、固相抽出剤９０８の特性にしたがって適切なものを選択する。便宜的に、本実施例では逆相モードの固相抽出剤９０８を使用したときの事例で示す。
【０１３０】
最初に、試料前処理器材９０１の上端と下端を密栓しているキャップ９１１、９１２を取り除く。
【０１３１】
次に、試料前処理器材９０１に対して、圧力印加等により固相抽出剤９０８を浸潤させている平衡化溶液を通液させ、必要量の内部標準物質が固相抽出剤９０８に吸着した状態にする。次に、フィルター器材９０２に試料を添加する。  
試料が全血である場合は、次に、フィルター器材９０２に溶血溶液を必要量添加して、十分に試料と撹拌する。
【０１３２】
次に、フィルター器材９０２にタンパク質変性溶液を必要量添加して、十分にサンプルと撹拌する。
【０１３３】
次に、試料前処理器材９０１に対して、圧力印加等によりフィルター器材９０２内のサンプルをフィルター部９０５で濾過するとともに、得られた濾液の回収なしに、フィルター部９０５経由で濾液を直接固相抽出剤９０８に供試し、通液させることにより目的成分を固相抽出剤９０８に吸着させる。
【０１３４】
次に、試料前処理器材９０１に対して、洗浄液を必要量添加する。
【０１３５】
次に、試料前処理器材９０１に対して、圧力印加等により洗浄液を固相抽出剤９０８に通液させることにより、固相抽出剤９０８に非特異的に吸着した夾雑成分を除去する。
【０１３６】
次に、試料前処理器材９０１に対して、溶出液を必要量添加する。
【０１３７】
次に、試料前処理器材９０１に対して、圧力印加等により溶出液を固相抽出剤９０８に通液させることにより、固相抽出剤９０８に特異的に吸着した目的成分を溶出回収する。
【０１３８】
前述のようなスラリーの場合、アジ化ナトリウム等の防腐剤を必要量添加して提供しても構わない。
【０１３９】
本発明の実施例６においても、実施例２と同様な効果を得ることができる。
【実施例７】
【０１４０】
次に、本発明の実施例７である試料前処理装置について説明する。この実施例７は、チップ方式の器材構成となっている。
【０１４１】
図１０は、本発明の実施例７である試料前処理装置（器材）１００１の説明図である。図１０の（Ａ）は、試料前処置器材１００１の構成を示し、図１０の（Ｂ）は試料、試薬の分注、攪拌の説明、図１０の（Ｃ）は、吸引吐出によるコンディショニング、吸着、洗浄、溶出を示している。
【０１４２】
フィルター器材１００２と固相抽出器材１００３が、互いに切り離せないように脱着不可の様式で連結された試料前処理器材１００１であり、フィルター器材１００２上端の開口部に分注器（ピペッター）が装着可能である。
【０１４３】
試料前処理器材１００１は上流側にフィルター器材１００２、下流側に固相抽出器材１００３が配置され、フィルター器材１００２からの濾液を一時回収することなしに直接固相抽出器材１００３に供試する。
【０１４４】
フィルター器材１００２は、フィルターリザーバー１００４とフィルター部１００５を備える。また、固相抽出器材１００３は、固相抽出リザーバー１００６、固相抽出剤１００８および固相抽出剤１００８を固相抽出器材１００３内に保持する上流側フリット１００７と下流側フリット１００９を備える。
【０１４５】
フィルター器材１００２におけるフィルターリザーバー１００４の素材は問わず、一般的に生体試料の前処理等で使用される樹脂や金属等を用いて構わない。ただし、添加する試薬分の容量を満たすために、少なくとも供試するサンプル量の８倍以上の許容量を有することが望ましい。
【０１４６】
これは、例えば、免疫抑制剤抽出のためにサンプルとして全血５０μｌを用いた場合、溶血処理に用いる硫酸亜鉛溶液の容量は１５０μｌ、除タンパク質処理に用いるメタノールの容量は２００μｌであるため、そのときの反応溶液の全量は４００μｌとなり、サンプル量の８倍量に相当することに起因する。
【０１４７】
また、フィルター器材１００２におけるフィルター部１００５の素材は濾過機能を有するものであれば問わず、一般的に生体試料の前処理等で使用されるものを適用して構わない。フィルター器材１００２内における反応で生成される凝集物量は検体の種類、由来、量等に大きく依存するが、フィルター部１００５の目詰まりを避けるために、固相抽出器材１００３における上流側フリット底面積１０１３よりもフィルター部上流側底面積１０１１は大きいことが望ましい。また、フィルター部１００５のポアサイズは生体試料中の夾雑微細成分を捕捉するために、φ２．０μｍ以下であることが望ましい。
【０１４８】
固相抽出器材１００３における固相抽出リザーバー１００６の素材は問わず、一般的に生体試料の前処理等で使用される樹脂や金属等を用いて構わない。ただし、添加する試薬分の容量を満たすために、少なくとも供試する除タンパク質処理済みサンプル量と同等以上の許容量を有することが望ましい。
【０１４９】
また、固相抽出器材１００３における固相抽出剤１００８の充填部の構造は、充填する固相抽出剤１００８の性能や仕様に大きく依存するが、微容量試料中の微量成分の抽出効率を保つために、上流側フリット底面１０１３の直径と同等以上の充填高１０１４であることが望ましい。ただし、上流側フリット底面積１０１３と下流側フリット底面積１０１５の大きさは必ずしも同一である必要はなく、固相抽出剤１００８の充填形状は、例えば細管状（円柱状）であっても、円錐状であっても構わない。また、充填する固相抽出剤１００８は対象成分の抽出に適した性能を有するものを適用する。
【０１５０】
フィルター器材１００２の構造については、例えば、図１１の（Ａ）、（Ｂ）に示すように、フィルターリザーバー１１０４が膨らんだ形状にすることにより、試料と各種試薬の混合を、振盪撹拌し易くした仕組みを有していても構わない。
【０１５１】
本発明の実施例７の試料前処理器材１００１は、フィルター器材１００２上端の開口部に分注器（ピペッター）を装着可能であることを特徴とし、吐出操作によりフィルター部１００５経由の濾過とともに、濾液の一時回収なしに、固相抽出剤１００８に直接目的成分を吸着させることができる。
【０１５２】
また、その後の固相抽出処理における洗浄工程は、容器に溜めた洗浄液に対して固相抽出器材１００３の下端開口部を浸漬させ、フィルター器材１００２の上端開口部に装着した分注器（ピペッター）のピペッティング操作により、固相抽出器材１００３の下端に充填した固相抽出剤１００８に対して洗浄液を吸引吐出することで、固相抽出剤１００８に非特異的に吸着した夾雑成分を洗浄除去することを特徴とする。
【０１５３】
さらに、溶出工程についても、前述の洗浄液を必要量の溶出液に変更して、同様の吸引吐出操作により、固相抽出剤１００８に特異的に吸着した目的成分を溶出回収しても構わない。あるいは、必要量の溶出液を吸引し、別に設けた回収容器に吐出することで、固相抽出剤１００８に特異的に吸着した目的成分を溶出回収しても構わない。
【０１５４】
同試料前処理器材１００１を用いて試料調製する場合の操作法について、図１２を参照して説明する。
【０１５５】
固相抽出剤１２０８に対するコンディショニング、目的成分の吸着、夾雑成分の除去、目的成分の溶出回収に用いる各試薬は、固相抽出剤（１２０８の特性にしたがって適切なものを選択する。便宜的に、本実施例では逆相モードの固相抽出剤１２０８を使用したときの事例で示す。
【０１５６】
図１２の（Ａ）に示すように、まず、容器に溜めた例えばメタノール等の有機溶媒に対して固相抽出器材１２０３の下端開口部を浸漬させ、フィルター器材１２０２の上端開口部に装着した分注器（ピペッター）のピペッティング操作により、固相抽出器材１２０３下端に充填した固相抽出剤１２０８に対して有機溶媒を吸引吐出する。この操作により、固相抽出剤１２０８の官能基を活性化させる。
【０１５７】
次に、図１２の（Ｂ）に示すように、図１２の（Ａ）と同様に、容器に溜めた水系溶液に対して固相抽出器材１２０３の下端開口部を浸漬させ、フィルター器材１２０２の上端開口部に装着した分注器（ピペッター）のピペッティング操作により、固相抽出器材１２０３下端に充填した固相抽出剤１２０８に対して水系溶液を吸引吐出する。この操作により、活性化させた固相抽出剤１２０８を平衡化させることで、固相抽出剤１２０８のコンディショニングが完了する。
【０１５８】
次に、図１２の（Ｃ）に示すように、フィルター器材１２０２に試料を添加する。その際、例えば、抽出成分を質量分析等で測定する場合には、内部標準物質も添加し、十分に撹拌する。
【０１５９】
次に、図１２の（Ｄ）に示すように、試料が全血で血球内成分を取り出す必要がある場合は、必要量の溶血溶液を添加し、十分に撹拌する。この操作により、血球を破壊する。
【０１６０】
次に、図１２の（Ｅ）に示すように、フィルター器材１２０２に必要量のタンパク質変性溶液を添加し、十分に撹拌する。この操作により、試料中のタンパク質が変性し、凝集物が形成される。
【０１６１】
次に、図１２の（Ｆ）に示すように、フィルター器材１２０２上端の開口部に分注器（ピペッター）を装着し、吐出操作により、凝集物をフィルター器材１２０２側に残し、濾液の回収なしに、フィルター部１２０５経由でそのまま濾液を固相抽出剤１２０８に供試する。固相抽出器材１２０３の下端から排出される液は廃棄する。この操作により、固相抽出剤１２０８に目的成分が吸着するとともに、固相抽出剤１２０８に吸着しなかった夾雑成分が除去される。
【０１６２】
次に、図１２の（Ｇ）に示すように、容器に溜めた洗浄液に対して固相抽出器材１２０３の下端開口部を浸漬させ、フィルター器材１２０２の上端開口部に装着した分注器（ピペッター）のピペッティング操作により、固相抽出器材１２０３の下端に充填した固相抽出剤１２０８に対して洗浄液を吸引吐出する。この操作により、固相抽出剤１２０８に非特異的に吸着した夾雑成分が除去される。
【０１６３】
次に、図１２の（Ｈ）に示すように、容器に溜めた必要量の溶出液に対して固相抽出器材１２０３の下端開口部を浸漬させ、フィルター器材１２０２の上端開口部に装着した分注器（ピペッター）のピペッティング操作により、固相抽出器材１２０３の下端に充填した固相抽出剤１２０８に対して溶出液を吸引吐出する。この操作により、固相抽出剤１２０８に特異的に吸着した目的成分を溶出回収する。
【０１６４】
あるいは、容器に溜めた溶出液に対して固相抽出器材１２０３の下端開口部を浸漬させ、フィルター器材１２０２の上端開口部に装着した分注器（ピペッター）のピペッティング操作により、固相抽出器材１２０３の下端に充填した固相抽出剤１２０８に対して溶出液を必要量吸引し、別に設けた回収容器に吐出することで、固相抽出剤１２０８に特異的に吸着した目的成分を溶出回収しても構わない。
【０１６５】
本発明の実施例７においても、実施例２と同様な効果を得ることができる。
【実施例８】
【０１６６】
次に、本発明の実施例８である試料前処理装置について説明する。この実施例８は、複数の試料前処理装置（器材）が配列されたプレート方式の構成となっている。
【０１６７】
図１３は、本発明の実施例８であるプレート方式の試料前処理装置（器材）１３０１の説明図である。
【０１６８】
プレート方式の試料前処理器材１３０１は、実施例１〜５に示した各種試料前処理器材について、各々複数アレイ状に配置された構造を有する。
【０１６９】
つまり、フィルター器材１３０２はプレート状となっており、フィルターリザーバー１３０４を有するフィルター部１３０５が複数個、フィルター器材１３０２に配列され固定されている。そして、固相抽出器材１３０３もプレート状となっており、下流側フリット１３０９と固相抽出充填剤１３０８と固相抽出リザーバー１３０６が一体となった部材が複数個、固相抽出器材１３０３に配列され固定されている。
【０１７０】
フィルター器材１３０２と固相抽出器材１３０３とは互いに連結され、フィルターリザーバー１３０４と、フィルター部１３０５と、下流側フリット１３０９と、固相抽出充填剤１３０８と、固相抽出リザーバー１３０６とが一体となり、試料前処理機材１３０１が形成される。
【０１７１】
その場合の試料前処理器材１３０１の操作法は、実施例１〜５に各々記述した処理工程に準じて行われるが、ウェルに相当する複数の器材が並行処理される。
【０１７２】
試料前処理器材１３０１を用いて試料調製する場合の操作法については、実施例３〜７と同一であり、複数の試料前処理器材１３０１を一括処理する。
【０１７３】
本発明の実施例８においても、実施例２と同様な効果を得ることができる他、複数の前処理器材について一括処理が可能となる。
【実施例９】
【０１７４】
次に、本発明の実施例９である試料前処理装置について説明する。この実施例９は、バルブスイッチング方式の器材構成となっている。
【０１７５】
図１４は、本発明の実施例９である試料前処理装置（器材）１４０１の説明図である。
【０１７６】
本発明の実施例９である試料前処理器材１４０１は、バルブスイッチング機構を用いた流路切り換えにより、試料および試薬の固相抽出剤１４０８への添加と圧力印加工程を制御する構成となっている。
【０１７７】
図１４において、試料前処理器材の構成としては、フィルター器材１４０２、固相抽出器材１４０３、試薬供試用ポンプ１４２１、回収容器１４２４あるいは検出器１４２４がバルブ１４２２、１４２３を介して各々配管で連結されている。すなわち、固相抽出器材１４０３の上流側にバルブ１４２２を設け、そのバルブ１４２２にフィルター器材１４０２と試薬提供用ポンプ１４２１を連結した構造である。一方、固相抽出器材１４０３の下流側も廃液廃棄と溶出液回収の切り換えが可能な構造を有し、便宜上図面ではバルブ１４２３で表示する。
【０１７８】
試料前処理器材１４０１を用いて試料調製する場合の操作法について以下に示す。
【０１７９】
固相抽出剤１４０８に対するコンディショニング、目的成分の吸着、夾雑成分の除去、目的成分の溶出回収に用いる各試薬は、固相抽出剤１４０８の特性にしたがって適切なものを選択する。便宜的に、本実施例９では逆相モードの固相抽出剤１４０８を使用したときの事例で示す。
【０１８０】
まず、ポンプ１４２１により、例えばメタノール等の有機溶媒を固相抽出器材１４０３の固相抽出剤１４０８に通液させ、固相抽出器材１４０３の下流配管から排出される液を廃棄する。その際、上流側バルブ１４２２はポンプ１４２１から固相抽出器材１４０３に向かう流路を開放し、下流側バルブ１４２３は固相抽出器材１４０３から廃液に向かう流路を開放する。この操作により、固相抽出剤１４０８の官能基を活性化させる。
【０１８１】
次に、ポンプ１４２１により、例えばバッファー等の水系溶液を固相抽出器材１４０３の固相抽出剤１４０８に通液させ、固相抽出器材１４０３の下流配管から排出される液を廃棄する。その際、上流側バルブ１４２２はポンプ１４２１から固相抽出器材１４０３に向かう流路を開放し、下流側バルブ１４２３は固相抽出器材１４０３から廃液に向かう流路を開放する。この操作により、活性化させた固相抽出剤１４０８を平衡化させることで、固相抽出剤１４０８のコンディショニングが完了する。
【０１８２】
次に、フィルター器材１４０２に試料を添加する。その際、例えば、抽出成分を質量分析等で測定する場合には、内部標準物質も添加し、十分に撹拌する。その際、上流側バルブ１４２２および下流側バルブ１４２３の通液はない。
【０１８３】
次に、試料が全血で血球内成分を取り出す必要がある場合は、必要量の溶血溶液を添加し、十分に撹拌する。この操作により、血球を破壊する。その際、上流側バルブ１４２２および下流側バルブ１４２３の通液はない。
【０１８４】
次に、フィルター器材１４０２に必要量のタンパク質変性溶液を添加し、十分に撹拌する。この操作により、試料中のタンパク質が変性し、凝集物が形成される。その際、上流側バルブ１４２２および下流側バルブ１４２３の通液はない。
【０１８５】
次に、フィルター器材１４０２へ圧力を印加し、フィルター器材１４０２の上端開口部への加圧あるいは下端側からの吸引により、凝集物をフィルター器材１４０２側に残し、濾液の回収なしに、フィルター部１４０５経由でそのまま濾液を固相抽出剤１４０８に供試する。固相抽出器材１４０３の下端から排出される液は廃棄する。その際、上流側バルブ１４２２はフィルター器材１４０２から固相抽出器材１４０３に向かう流路を開放し、下流側バルブ１４２３は固相抽出器材１４０３から廃液に向かう流路を開放する。この操作により、固相抽出剤１４０８に目的成分が吸着するとともに、固相抽出剤１４０８に吸着しなかった夾雑成分が除去される。
【０１８６】
次に、ポンプ１４２１により、洗浄液を固相抽出器材１４０３の固相抽出剤１４０８に通液させ、固相抽出器材１４０３の下流配管から排出される液を廃棄する。その際、上流側バルブ１４２２はポンプ１４２１から固相抽出器材１４０３に向かう流路を開放し、下流側バルブ１４２３は固相抽出器材１４０３から廃液に向かう流路を開放する。この操作により、固相抽出剤１４０８に非特異的に吸着した夾雑成分が除去される。
【０１８７】
次に、ポンプ１４２１により、溶出液を固相抽出器材１４０３の固相抽出剤１４０８に通液させ、固相抽出器材１４０３の下流配管から排出される液を回収容器１４２４で回収あるいは検出器１４２４に供試する。その際、上流側バルブ１４２２はポンプ１４２１から固相抽出器材１４０３に向かう流路を開放し、下流側バルブ１４２３は固相抽出器材１４０３から回収容器１４２４あるいは検出器１４２４に向かう流路を開放する。この操作により、固相抽出剤１４０８に特異的に吸着した目的成分を溶出回収する。
【０１８８】
なお、図１４の抽出剤活性化処理を（ａ）、抽出剤平滑化処理を（ｂ）、試料及び内部標準物質添加処理を（ｃ）、溶血処理を（ｄ）、タンパク質変性処理を（ｅ）、フィルター分離及び固相抽出剤へのサンプルロード処理を（ｆ）、煩雑物洗浄処理を（ｇ）、目的成分溶出処理を（ｈ）とし、各処理に使用する試料、溶液、物質、機構について、該当する処理（ａ）〜（ｈ）が付されている。
【０１８９】
また、図１４においては、バルブ１４２２、１４２３の動作について、矢印で示した部分への通液を行う処理を丸印の横に列挙し、矢印で示した部分への通液を行わない処理を×印の横に列挙している。
【実施例１０】
【０１９０】
次に、本発明の実施例１０である試料前処理方法及び装置について説明する。この実施例１０は、内部標準物質添加済み固相抽出剤を使用する方法及び装置である。
【０１９１】
実施例１０における試料前処理器材は、前述の各実施例で示した器材構成のように、固相抽出剤が予め固相抽出器材に充填されておらず、別々に提供することを特徴とする。すなわち、固相抽出器材の下端開口部近傍には予め下流側フリットが装填された状態であり、それに固相抽出剤を充填することで試料調製に用いる。上流側フリットは、固相抽出器材への固相抽出剤充填後に、必要に応じて装填することで構わない。
【０１９２】
そのときの固相抽出剤は、乾燥状態であっても、スラリー状であっても構わない。
【０１９３】
固相抽出剤がスラリー状で提供する場合、固相抽出剤は、コンディショニングされていなくても、コンディショニング済みであっても構わない。
【０１９４】
固相抽出剤がコンディショニング済みのスラリー状で提供する場合、そのスラリーに内部標準物質が無添加の状態であっても、予め添加された状態であっても構わない。
【０１９５】
以上のような、固相抽出器材と分けて提供される固相抽出剤の状態に応じて、コンディショニング工程を省略することが可能である。
【０１９６】
また、コンディショニング済みの固相抽出剤に、予め目的成分測定用の内部標準物質が必要量添加されている場合、その目的成分測定専用のキットとして提供することが可能となる。その場合、固相抽出器材に同固相抽出剤を充填後、コンディショニング工程なしで試料添加工程から操作を開始でき、内部標準物質の添加工程なしに、最終的な溶出物を直接測定に供試することが可能となる。
【０１９７】
前述のようなスラリーの場合、アジ化ナトリウム等の防腐剤を必要量添加して提供しても構わない。
【０１９８】
以上のように、本発明によれば、コンディショニング済の充填剤スラリーに、吸着可能な条件下で内部標準物質を予め必要量添加したものを、特定の測定目的用の固相抽出剤として提供するものである。そして、１つの試料前処理器材内で、溶血および除タンパク質処理を行うとともに、その反応産物を濾過後、濾液中の目的成分を固相抽出することを、途中で生じる産物の一時回収なしに、一括処理できることを特徴とする。あるいは、内部標準物質添加済の固相抽出剤を固相抽出器材に充填し、溶媒が蒸発しないように密閉したプレパック器材として提供することも考えられる。その際、固相抽出剤の上流側に除タンパク質目的のためのフィルター器材を設けても構わない。
【０１９９】
また、反応産物を濾過処理する機構を有する反応容器（フィルター器材）と固相抽出器材を連結し、濾液を一時回収することなしに直接固相抽出剤に供試できる仕組みを有する前処理手法およびその器材（キット）を提供することができる。
【０２００】
血液のような夾雑成分の多い生体試料を前処理なしに直接同器材に供試することが可能であり、同器材で処理して得られた抽出物を直接ＭＳ等の分析装置に供試することができる。
【０２０１】
このことは、濾液の一時回収工程の省略により、工程およびＴＡＴの短縮化が図れる。
【０２０２】
また、濾液の一時回収および一時回収した濾液の固相抽出ユニットへの供試に関わる工程の省略を図ることが可能となり、同前処理用器材（キット）により操作の簡素化および低コスト化が実現できる。
【０２０３】
さらに、一時回収工程の省略により、一時回収用の容器が不要となるため、消耗品点数およびそのコストを削減することが可能となるとともに、一時回収工程で生じるサンプルロスおよびキャリーオーバーを回避できる。
【０２０４】
また、予めコンディショニング済みの固相抽出剤を固相抽出器材内に充填し、固相抽出剤を浸潤している溶液が蒸発しないように密栓したプレパック器材として提供することにより、試料前処理における工程数およびＴＡＴ（Turn-Around -Time）の短縮化を図ることが可能となる。
【０２０５】
さらに、同プレパック器材に充填済みの固相抽出剤に対して、予め測定対象成分の内部標準物質を必要量添加しておくことにより、同プレパック器材を測定対象成分専用の試料前処理器材として提供することが可能となり、使用者は内部標準物質の準備なしに試料前処理が行えるとともに、内部標準物質の添加工程を省略しても、例えば質量分析等による抽出成分の測定を行うことができる。
【０２０６】
このような、予め内部標準物質を必要量添加したコンディショニング済み固相抽出剤は、プレパック器材だけでなく、固相抽出器材充填前のスラリーとして未充填の固相抽出器材とともに提供することにより、測定対象成分専用の試料前処理キットとしても提供することが可能となり、使用者は測定対象成分の抽出量に合わせて適宜スラリー量を調節できるとともに、内部標準物質の準備なしに試料前処理が行え、内部標準物質の添加工程を省略しても、例えば質量分析等による抽出成分の測定を行うことができる。
【０２０７】
なお、本発明は、臨床検査分野だけでなく、目的成分検出に夾雑成分からの精製を要する分析分野に幅広く応用可能である。例えば、環境、食品、医用、公安（テロ対策／違法薬物）等の分野への実用およびそのための基礎／応用研究に利用可能である。
【符号の説明】
【０２０８】
１０１・・・全血処理工程（溶血処理および除タンパク質処理）、１０２・・・固相抽出処理工程、１０３・・・本発明による全血および固相抽出一括処理工程、３０１・・・試料前処理器材、３０２・・・フィルター器材、３０３・・・固相抽出器材、３０４・・・フィルターリザーバー、３０５・・・フィルター部、３０８・・・固相抽出剤、３１１・・・フィルター部上流側底面、４０１・・・試料前処理器材、４０２・・・フィルター器材、４０３・・・固相抽出器材、４０４・・・フィルターリザーバー、４０５・・・フィルター部、４０６・・・固相抽出リザーバー、４０７・・・上流側フリット、４０８・・・固相抽出剤、４０９・・・下流側フリット、４１１・・・フィルター部上流側底面、４１３・・・上流側フリット底面、４１４・・・充填高、４１５・・・下流側フリット底面、            ５０１・・・試料前処理器材、５０２・・・フィルター器材、５０３・・・固相抽出器材、５０５・・・フィルター部、５０８・・・固相抽出剤、６０１・・・            試料前処理器材、６０２・・・フィルター器材、６０３・・・固相抽出器材、６０４・・・フィルターリザーバー、６０５・・・フィルター部、６０６・・・固相抽出リザーバー、６０７・・・上流側フリット、６０８・・・固相抽出剤、６０９・・・下流側フリット、６１１・・・フィルター部上流側底面、６１３・・・上流側フリット底面、６１４・・・充填高、６１５・・・下流側フリット底面、            ６１６・・・ルアーロック等のネジ状構造、７０１・・・試料前処理器材、７０２・・・フィルター器材、７０３・・・固相抽出器材、７０５・・・フィルター部、７０８・・・固相抽出剤、８０１・・・試料前処理器材、８０２・・・フィルター器材、８０３・・・固相抽出器材、８０４・・・フィルターリザーバー、８０５・・・フィルター部、８０８・・・固相抽出剤、８０９・・・下流側フリット、８１１・・・フィルター部上流側底面、８１２・・・フィルター部下流側底面、８１３・・・充填時の固相抽出剤上流側底面、８１４・・・充填高、８１５・・・下流側フリット底面、９０１・・・試料前処理器材、９０２・・・フィルター器材、９０３・・・固相抽出器材、９０５・・・フィルター部、９０８・・・固相抽出充填剤、９１１・・・上流側キャップ、９１２・・・下流側キャップ、              １００１・・・試料前処理器材、１００２・・・フィルター器材、１００３・・・固相抽出器材、１００４・・・フィルターリザーバー、１００５・・・フィルター部、１００６・・・固相抽出リザーバー、１００７・・・上流側フリット、１００８・・・固相抽出剤、１００９・・・下流側フリット、１０１１・・・フィルター部上流側底面、１０１３・・・上流側フリット底面、１０１４・・・充填高、１０１５・・・下流側フリット底面、１１０１・・・試料前処理器材、１１０２・・・フィルター器材、１１０３・・・固相抽出器材、１１０４・・・フィルターリザーバー、１１０５・・・フィルター部、１１０６・・・固相抽出リザーバー、１１０７・・・上流側フリット、１１０８・・・固相抽出剤、１１０９・・・下流側フリット、１２０２・・・フィルター器材、１２０３・・・固相抽出器材、１２０５・・・���ィルター部、１２０８・・・固相抽出剤、１３０１・・・試料前処理器材、１３０２・・・フィルター器材、１３０３・・・固相抽出器材、１３０４・・・フィルターリザーバー、１３０５・・・フィルター部、１３０６・・・固相抽出リザーバー、１３０８・・・固相抽出剤、１３０９・・・下流側フリット、１４０１・・・試料前処理器材、１４０２・・・フィルター器材、１４０３・・・固相抽出器材、１４０５・・・フィルター部、１４０８・・・固相抽出剤、１４２１・・・ポンプ、１４２２・・・上流側バルブ、１４２３・・・下流側バルブ、１４２４・・・回収容器あるいは検出器
【図１】
0005452383.tif 000002
【図２】
0005452383.tif 000003
【図３】
0005452383.tif 000004
【図４】
0005452383.tif 000005
【図５】
0005452383.tif 000006
【図６】
0005452383.tif 000007
【図７】
0005452383.tif 000008
【図８】
0005452383.tif 000009
【図９】
0005452383.tif 000010
【図１０】
0005452383.tif 000011
【図１１】
0005452383.tif 000012
【図１２】
0005452383.tif 000013
【図１３】
0005452383.tif 000014
【図１４】
0005452383.tif 000015